(57)【要約】【課題】アラーム情報の発生に対して医療従事者が患者への処置を迅速かつ効率的に行うことができる医療用警報システムおよび医療警報用インジゲータを提供する。【解決手段】測定した患者の生体情報に異常を検出したときにアラーム情報を送信するベッドサイドモニタ１０と、医療従事者の位置情報を測定したときに医療従事者位置情報を送信する位置情報測定装置２０と、アラーム情報および医療従事者位置情報を受信し、当該受信した情報を表示する情報表示装置３０とを備える。情報表示装置３０は、アラーム情報を表示するアラーム情報表示部３２と医療従事者位置情報を表示する医療従事者位置情報表示部３３とを有し、ベッドサイドモニタ１０からアラーム情報を受信したときに当該アラーム情報をアラーム情報表示部３２に表示するとともに、位置情報測定装置２０から受信した医療従事者位置情報を医療従事者位置情報表示部３３に併せて表示する。【選択図】図１
2014171776.tif 000002
【特許請求の範囲】
【請求項１】
測定した患者の生体情報に異常を検出したときにアラーム情報を送信するベッドサイドモニタと、
医療従事者の位置情報を測定したときに医療従事者位置情報を送信する位置情報測定装置と、
前記アラーム情報および医療従事者位置情報を受信し、当該受信した情報を表示する情報表示装置とを備え、
前記情報表示装置は、前記アラーム情報を表示するアラーム情報表示部と前記医療従事者位置情報を表示する医療従事者位置情報表示部とを有し、前記アラーム情報を受信したときに当該アラーム情報を前記アラーム情報表示部に表示するとともに前記医療従事者位置情報を前記医療従事者位置情報表示部に併せて表示することを特徴とする医療用警報システム。
【請求項２】
前記位置情報測定装置による位置情報の測定は、医療従事者が所持するＩＣタグを検出することによる測定であることを特徴とする請求項１に記載の医療用警報システム。
【請求項３】
前記位置情報測定装置による位置情報の測定は、医療従事者の顔認証による測定であることを特徴とする請求項１に記載の医療用警報システム。
【請求項４】
前記情報表示装置は、病室の入り口の廊下側に設置されていることを特徴とする請求項１から３のいずれか一項に記載の医療用警報システム。
【請求項５】
前記アラーム情報表示部および医療従事者位置情報表示部は、視覚的な表示手段であることを特徴とする請求項１から４のいずれか一項に記載の医療用警報システム。
【請求項６】
複数の前記ベッドサイドモニタとネットワークで接続され、患者の状態を集中管理するセントラルモニタを更に備え、
各患者の前記アラーム情報および医療従事者位置情報は、前記ネットワークを介して前記セントラルモニタに表示されることを特徴とする請求項１から５のいずれか一項に記載の医療用警報システム。
【請求項７】
医療従事者の位置情報を表示する医療従事者位置情報表示部を有していることを特徴とする医療警報用インジケータ。
【発明の詳細な説明】
【技術分野】
【０００１】
本発明は、患者のアラーム情報を報知するための医療用警報システムおよび医療警報用インジケータに関するものである。
【背景技術】
【０００２】
従来、患者の生体情報を測定し、その生体情報に異常が生じた場合にベッドサイドモニタからアラーム信号を発生させ、アラーム信号に基づいてアラーム音を出力し異常を報知するアラーム装置が開発されている。アラーム音の発生により医療従事者は異常が発生したことを認識し患者の元に駆けつけてその異常に対する処置を施す。
【０００３】
ところで、医療従事者は複数の患者を担当していることが多く、重複したタイミングで複数の患者からアラーム音が出力される場合が発生する。その場合、単一アラーム音だけの報知では、音が重なって聞き取り難かったり、音量を絞るなどの操作によりアラーム音が抑えられて警報に気付かないなどの不具合も生じ得る。また、聴覚的な報知のみの場合、医療従事者はいずれのアラーム音に対する処置を優先すべきか迅速に対応することができないことも生じ得る。さらに、同一のアラーム音、すなわち同じ患者のところに２人以上の医療従事者が駆けつけてしまうなどの非効率的な状態も生じ得る。
【０００４】
これに対して、下記特許文献１には、警報に気付かないなどの事態を防止して安全を確保できるように、独立した別の音による警報や表示による警報を行うようにした生体情報監視システムが開示されている。
【先行技術文献】
【特許文献】
【０００５】
【特許文献１】特開２０１１−０４１７６９号公報
【発明の概要】
【発明が解決しようとする課題】
【０００６】
ところが、特許文献１に開示された生体情報監視システムでは、警報に気付かないなどの事態を防止することはできるものの、アラーム音に対する医療従事者の迅速かつ効率的な処置という点においては必ずしも十分でなかった。また、特許文献１の生体情報監視システムではアラーム音のほかにメッセージを表示しているが、その表示内容は単に警報状態が発生したことを報知するためのものであり、迅速かつ効率的な処置を可能とするには不十分であった。
【０００７】
そこで、本発明は、アラーム情報の発生に対して医療従事者が患者への処置を迅速かつ効率的に行うことができる医療用警報システムおよび医療警報用インジケータの提供を目的とする。
【課題を解決するための手段】
【０００８】
上記課題を解決するために、本発明の医療用警報システムは、測定した患者の生体情報に異常を検出したときにアラーム情報を送信するベッドサイドモニタと、医療従事者の位置情報を測定したときに医療従事者位置情報を送信する位置情報測定装置と、前記アラーム情報および医療従事者位置情報を受信し、当該受信した情報を表示する情報表示装置とを備え、前記情報表示装置は、前記アラーム情報を表示するアラーム情報表示部と前記医療従事者位置情報を表示する医療従事者位置情報表示部とを有し、前記アラーム情報を受信したときに当該アラーム情報を前記アラーム情報表示部に表示するとともに前記医療従事者位置情報を前記医療従事者位置情報表示部に併せて表示することを特徴とするものである。
【０００９】
また、本発明の医療用警報システムにおいて、前記位置情報測定装置による位置情報の測定は、医療従事者が所持するＩＣタグを検出することによる測定であることが好ましい。
【００１０】
また、本発明の医療用警報システムにおいて、前記位置情報測定装置による位置情報の測定は、医療従事者の顔認証による測定であることが好ましい。
【００１１】
また、本発明の医療用警報システムにおいて、前記情報表示装置は、病室の入り口の廊下側に設置されていることが好ましい。
【００１２】
また、本発明の医療用警報システムにおいて、前記アラーム情報表示部および医療従事者位置情報表示部は、視覚的な表示手段であることが好ましい。
【００１３】
また、本発明の医療用警報システムは、複数の前記ベッドサイドモニタとネットワークで接続され、患者の状態を集中管理するセントラルモニタを更に備え、各患者の前記アラーム情報および医療従事者位置情報は、前記ネットワークを介して前記セントラルモニタに表示されることが好ましい。
【００１４】
また、本発明の医療警報用インジケータは、医療従事者の位置情報を表示する医療従事者位置情報表示部を有していることを特徴とするものである。
【発明の効果】
【００１５】
本発明の医療用警報システムおよび医療警報用インジケータによれば、情報表示装置を医療従事者の目につく所（病室の入り口など）に設置しておくことで、または医療従事者が持つ携帯端末にこれらの情報を表示させることで、アラームを発生させている患者のところに医療従事者が居るかどうかを容易かつ迅速に認識することができ、患者への処置を迅速かつ効率的に行うことができる
【図面の簡単な説明】
【００１６】
【図１】本発明の第１の実施形態に係る医療用警報システムの機能構成を示すブロック図である。
【図２】図１に示す医療用警報システムの設置例を模式的に示した図である。
【図３】（ａ）はベッドサイドモニタに表示されるアラーム情報および医療従事者位置情報の表示例を示す図であり、（ｂ）は情報表示装置の一例を示す図である。
【図４】本発明の第２の実施形態に係る医療用警報システムの機能構成を示すブロック図である。
【図５】図４に示す医療用警報システムの構成例を模式的に示した図である。
【図６】セントラルモニタに表示される表示情報の一例を示した図である。
【発明を実施するための形態】
【００１７】
以下、本発明に係る医療用警報システムの実施形態の一例を添付図面に基づいて説明する。
【００１８】
（第１の実施形態）
図１は、第１の実施形態に係る医療用警報システム１の機能構成を示す。
医療用警報システム１は、患者の生体情報を測定する生体情報表示装置（ベッドサイドモニタ）１０と、医療従事者の位置情報を測定する位置情報測定装置２０と、ベッドサイドモニタ１０および位置情報測定装置２０で測定された情報を表示する情報表示装置（インジケータ）３０とを備えている。
【００１９】
ベッドサイドモニタ１０は、測定した患者の生体情報に異常が発生したと判定したきにアラーム情報を送信する装置であり、生体信号測定部１１と、通信部１２と、表示部（表示画面）１３とを備えている。
【００２０】
生体信号測定部１１は、取得された生体情報の値を測定し異常有無の判定を行う。具体的には、生体信号測定部１１に設けられた比較判定手段によって、生体情報の測定値と予め定められた閾値とを比較し、測定値が閾値を超えている場合に異常が発生したと判定する。そして、判定の結果、異常が発生していると判定した場合には、その旨を報知するアラーム情報を通信部１２に出力する。また、生体信号測定部１１は、測定した生体情報をリアルタイムで表示部１３に出力する。
【００２１】
通信部１２は、生体信号測定部１１から出力されたアラーム情報を情報表示装置３０に無線送信する。また、通信部１２は、異常が発生したことを報知する異常発生信号を位置情報測定装置２０に無線送信する。さらに、通信部１２は、位置情報測定装置２０から無線送信された医療従事者位置情報を受信する。そして、受信した医療従事者位置情報を表示部１３に出力する。
【００２２】
表示部１３は、生体信号測定部１１から出力された患者の生体情報を表示する表示画面であり、例えば液晶画面によって構成することができる。また、表示部１３は、生体信号測定部１１から出力されたアラーム情報と、通信部１２から出力された医療従事者位置情報を表示する。これらの内容については図３（ａ）において後述する。
【００２３】
また、ベッドサイドモニタ１０には、患者の生体情報を測定するための生体信号取得手段４０が接続されている。具体的な生体信号取得手段４０としては、心電図電極４１、血圧センサ４２、呼吸センサ４３等の各センサが挙げられる。生体信号取得手段４０によって取得された生体情報はベッドサイドモニタ１０の生体信号測定部１１に入力される。
【００２４】
位置情報測定装置２０は、医療従事者の位置情報を測定したときに医療従事者位置情報を送信する装置であり、位置情報センサ２１と、通信部２２とを備えている。
【００２５】
位置情報センサ２１は、医療従事者の位置情報を検出し測定する手段である。医療従事者の位置情報は、例えば、ＲＦＩＤ（Radio Frequency IDentification）によりＩＣタグの個体識別情報を測定することによって検出することができる。医療従事者にＩＣタグを所持させて、所定のゲート通過時に識別情報を測定し、医療従事者の位置情報を取得する。位置情報センサ２１は、測定した医療従事者の位置情報を、医療従事者位置情報として通信部２２に出力する。
【００２６】
なお、医療従事者の位置情報を取得する方法としては、例えば、所定のゲート等に設置したカメラを用いて、医療従事者の顔認証を行う画像処理によって取得するようにしてもよい。
【００２７】
通信部２２は、位置情報センサ２１から出力された医療従事者位置情報を、ベッドサイドモニタ１０および情報表示装置３０に無線送信する。無線送信は医療従事者位置情報が位置情報センサ２１から出力される毎に行われる。また、通信部２２は、異常発生を報知する異常発生信号がベッドサイドモニタ１０から送信されてきた際にも、その際に検出している医療従事者位置情報を情報表示装置３０に無線送信する。
【００２８】
なお、情報表示装置３０に無線送信される医療従事者位置情報は、直接、通信部２２から情報表示装置３０に送信してもよいし、あるいは、通信部２２からベッドサイドモニタ１０に送信した後に、ベッドサイドモニタ１０の通信部１２から情報表示装置３０に送信するようにしてもよい。
【００２９】
情報表示装置３０は、アラーム情報および医療従事者位置情報を表示するインジケータであり、通信部３１と、アラーム情報表示部３２と、医療従事者位置情報表示部３３とを備えている。
【００３０】
通信部３１は、ベッドサイドモニタ１０から送信されるアラーム情報を受信し、受信したアラーム情報をアラーム情報表示部３２に出力する。また、通信部３１は、位置情報測定装置２０から送信される医療従事者位置情報を受信し、受信した医療従事者位置情報を医療従事者位置情報表示部３３に出力する。
【００３１】
アラーム情報表示部３２は、通信部３１から出力されたアラーム情報を表示する表示部である。アラーム情報表示部３２は、アラーム情報の内容に応じて、例えば、表示灯を点灯あるいは点滅させるほか、表示灯の色を変化させる等により視覚的に表示することができる。
【００３２】
医療従事者位置情報表示部３３は、通信部３１から出力された医療従事者位置情報を表示する表示部である。医療従事者位置情報表示部３３は、情報内容に応じて、例えば、表示灯を点灯あるいは点滅させたり、その色を変化させたりすること等により視覚的に表示することができる。
【００３３】
このように、情報表示装置３０は、ベッドサイドモニタ１０からアラーム情報を受信したとき、その受信したアラーム情報をアラーム情報表示部３２に表示するとともに位置情報測定装置２０から受信した医療従事者位置情報を医療従事者位置情報表示部３３に併せて表示する。
【００３４】
なお、アラーム情報が報知する異常の種類には、患者の生体情報の異常のほか、電極外れや、センサの装着状態の不備や、ノイズが多い場合に発生するテクニカルアラーム、あるいは患者自ら異常を伝えるためのナースコール等を含めるようにしてもよい。
【００３５】
図２は、医療用警報システム１の具体的な設置例を模式的に示す。
この具体例では、一人の患者５１が入院している病室（個室）５０に医療用警報システム１が設置されている場合を示す。図に示すように病室５０には、ベッドサイドモニタ１０と、位置情報測定装置２０と、情報表示装置３０が設置されている。位置情報測定装置２０は、病室５０の入り口５２に設置されている。位置情報測定装置２０が設置される位置は、病室５０に出入りする医療従事者を確実に検出することができる位置であればよい。また、情報表示装置３０は、病室５０の入り口５２における廊下５３側に設置されている。情報表示装置３０が設置される位置は、病室５０の患者５１に異常が発生したことを容易かつ確実に確認することができる位置であることが望ましい。
【００３６】
ベッドサイドモニタ１０によって測定された患者５１の生体情報に異常が発生した場合には、患者５１に異常が発生したことを報知するアラーム情報が、ベッドサイドモニタ１０から情報表示装置３０に無線送信される。また、異常発生を報知する異常発生信号がベッドサイドモニタ１０から位置情報測定装置２０に無線送信される。
【００３７】
また、位置情報測定装置２０によって、病室５０に出入りした医療従事者の検出が常時行われている。病室５０に出入りした医療従事者の存在が検出される毎に、病室５０に入室した旨を報知する医療従事者位置情報または病室５０から退出した旨を報知する医療従事者位置情報が、位置情報測定装置２０から情報表示装置３０とベッドサイドモニタ１０に無線送信される。また、位置情報測定装置２０は、異常発生を報知する異常発生信号をベッドサイドモニタ１０から受信した際に、その受信した際の医療従事者位置情報が位置情報測定装置２０から情報表示装置３０とベッドサイドモニタ１０に無線送信される。
【００３８】
なお、図１において説明したように、位置情報測定装置２０から情報表示装置３０に無線送信する医療従事者位置情報は、直接、位置情報測定装置２０から情報表示装置３０に送信してもよいし、あるいは、位置情報測定装置２０からベッドサイドモニタ１０に送信した後に、ベッドサイドモニタ１０から情報表示装置３０に送信するようにしてもよい。後者のベッドサイドモニタ１０から情報表示装置３０に送信する場合には、アラーム情報と共に医療従事者位置情報を送信するようにすればよい。
【００３９】
本例では、医療従事者５４は、個体識別情報が記録された識別タグ（例えば、無線ＩＣタグ）５５を携帯している。位置情報測定装置２０は、病室５０に出入りする医療従事者の識別タグ５５を検出する。病室５０に入室する医療従事者５４（識別タグ５５）を検出した場合には、病室５０の生体情報の異常が生じた患者５１のところに医療従事者が居ることを示す医療従事者位置情報が位置情報測定装置２０から情報表示装置３０とベッドサイドモニタに無線送信される。同様に、病室５０から退出する医療従事者５４（識別タグ５５）を検出した場合には、病室５０の生体情報の異常が生じた患者５１のところには医療従事者が居ないことを示すための医療従事者位置情報が無線送信される。
【００４０】
情報表示装置３０には、アラーム情報を受信したときに、ベッドサイドモニタ１０から送信されたアラーム情報および位置情報測定装置２０から送信された医療従事者位置情報が表示される。これらの情報は、例えば、表示灯の光によって表示される。
【００４１】
この実施形態では個室の場合を示しているが、１つの病室に複数人の患者、すなわち複数のベッドサイドモニタ１０が設置されている場合においても同様にアラーム情報と医療従事者位置情報が報知される。
【００４２】
ここで、図３に基づいて、ベッドサイドモニタ１０および情報表示装置３０に表示される情報の内容について説明する。
図３（ａ）に示されるように、ベッドサイドモニタ１０の表示部１３には、患者５１から測定された生体情報１４のほかに、生体情報の異常を報知するアラーム情報と、医療従事者の存在を報知する医療従事者位置情報が表示される。
【００４３】
アラーム情報は、生体情報の異常が生じた患者５１に対する処置対応の緊急性に応じて複数段階（ここでは、３段階）に分けて表示される。例えば、軽度の緊急性を要する異常であれば表示領域１６が青色に表示され、中度の緊急性を要する異常であれば表示領域１６が黄色に表示され、重度の緊急性（早急の処置）を要する異常であれば表示領域１６が赤色に表示される。
【００４４】
また、図３（ｂ）に示されるように、情報表示装置３０には、アラーム情報表示部３２と医療従事者位置情報表示部３３が設けられており、例えば、ポール形状を有し各表示部３２と３３が縦方向に区分されている。アラーム情報表示部３２には生体情報の異常を報知するアラーム情報が表示され、医療従事者位置情報表示部３３には医療従事者の存在を報知する医療従事者位置情報が表示される。
【００４５】
アラーム情報表示部３２は、複数の表示部（ここでは、３つの表示部３２ａ、３２ｂ、３２ｃ）に分割されており、生体情報の異常が生じた患者５１への処置対応の緊急性に応じた表示を行うことができるように構成されている。例えば、アラーム情報の内容が軽度の緊急性を要する異常であれば表示部３２ｃが青色に表示され、中度の緊急性を要する異常であれば表示部３２ｂが黄色に表示され、重度の緊急性（早急の処置）を要する異常であれば表示部３２ａが赤色に表示される。
【００４６】
医療従事者位置情報表示部３３は、医療従事者が生体情報の異常が生じた患者５１のところに居るか否かによって分けて表示され、例えば、医療従事者が生体情報の異常が生じた患者５１のところに居る場合にはランプが点灯表示され、医療従事者が居ない場合にはランプが消灯される。
【００４７】
図２に戻り、この実施形態において医療従事者５４の具体的な対応に沿って説明すると以下のようになる。患者５１の生体情報に異常が発生すると、その異常に関する情報（アラーム情報と医療従事者位置情報）が表示ランプの光によって情報表示装置３０に表示される。また、このときアラーム音が出力される。その異常発生時に廊下５３に居た医療従事者５４は、情報表示装置３０のアラーム情報表示部３２に表示されたアラーム情報（表示灯の光の色）を見て、処置対応の緊急性の軽重を認識することができる。また、医療従事者５４は、情報表示装置３０の医療従事者位置情報表示部３３に表示された医療従事者位置情報（表示灯の点灯の有無）を見て、他の医療従事者が生体情報の異常が生じた患者５１のところに居るかどうか、すなわち生体情報の異常が生じた患者５１の異常発生に対応しているか否かを認識することができる。
【００４８】
医療従事者位置情報表示部３３が消灯していた場合、医療従事者５４は生体情報の異常が生じた患者５１に対して処置が施されていないことを認識でき、迅速に生体情報の異常が生じた患者５１のところに駆けつけることができる。医療従事者５４（識別タグ５５）が病室に入室すると位置情報測定装置２０によってその入室が検出され、医療従事者位置情報表示部３３は点灯する。そして、医療従事者５４は、ベッドサイドモニタ１０に搭載されたアラーム解除ボタンを操作してアラームを解除する。これにより、これ以降に駆けつけてきた医療従事者は、患者５１の病室の入り口に設置されている情報表示装置３０を見て、生体情報の異常が生じた患者５１に対して既に処置が施されていることを容易かつ迅速に判別することができる。そのため、同じ患者のところに２人以上の医療従事者が駆けつけてしまうなどの非効率的な状態を回避して、他の患者のところへ駆けつけることができる。
【００４９】
このように、患者の異常発生時に、病室５０の入り口５２に設置された情報表示装置３０に、処置の緊急度を示すアラーム情報と生体情報の異常が生じた患者のところに医療従事者が存在するか否かを示す医療従事者位置情報とを併せて表示するようにしたので、駆けつけるべき患者の判断を迅速かつ的確に行うことがでる。また、アラームの緊急度に応じて駆けつけるべき患者の優先度を迅速かつ的確に判断することができ、同じ患者のところに２人以上の医療従事者が駆けつけてしまうなどの非効率的な状態を回避することができる。
【００５０】
また、医療従事者の位置情報を無線ＩＣタグなどの識別タグ５５の検出あるいは医療従事者の顔認証により測定するので、迅速かつ的確に医療従事者の位置情報を測定することができる。
【００５１】
また、情報表示装置（インジケータ）３０を病室５０の入り口５２（廊下側）に設置したので、医療従事者は、その表示内容を容易かつ的確に認識することができる。
【００５２】
（第２の実施形態）
図４は、第２の実施形態に係る医療用警報システム２の機能構成を示す。
医療用警報システム２は、ベッドサイドモニタ１０がネットワーク５（ＬＡＮ等）を介して接続され、ベッドサイドモニタ１０の情報がネットワーク５を介してセントラルモニタ６０に集中管理される構成を有しており、これらの点で第１の実施形態の医療用警報システム１と相違している。以下、第２の実施形態の説明において、第１の実施形態と同一または同様の部分については同一の符号を付すこととし、それらの部分についての詳細な説明は省略する。
【００５３】
ベッドサイドモニタ１０によって測定された患者の生体情報と、患者の生体情報に異常が発生したときに出力されるアラーム情報と、位置情報測定装置２０によって測定された医療従事者位置情報が、ベッドサイドモニタ１０の通信部１２からネットワーク５を介してセントラルモニタ６０に送信される。
【００５４】
セントラルモニタ６０は、ネットワーク５を介して複数のベッドサイドモニタ１０と接続され、患者状態の監視を集中管理するモニタであり、ナースステーション、医師控え室等に設置されている。図に示すようにセントラルモニタ６０は、通信部６１と、表示部６２を備えている。
【００５５】
通信部６１は、ベッドサイドモニタ１０から送信された生体情報、アラーム情報、および医療従事者位置情報を受信し、受信したこれらの情報を表示部６２に出力する。
【００５６】
表示部６２は、通信部６１から出力された情報を表示する表示画面であり、例えば液晶画面によって構成することができる。表示部６２には、ネットワーク５を介して接続されている全てのベッドサイドモニタ１０の情報を表示することができ、その表示形態も任意にセントラルモニタ側で選択することができる。例えば、指定した病室の患者の生体情報を表示させたり、アラーム情報を出力している病室およびその患者名等を表示させたりすることもできる。
【００５７】
図５は、医療用警報システム２の具体的な設置例を模式的に示す。
この具体例では、複数の患者５１ａ、５１ｂ、・・・、５１ｆが入院している病室（大部屋）７０の各ベッドサイドモニタ１０ａ、１０ｂ、・・・、１０ｆが、ネットワーク５を介してナースステーション６９のセントラルモニタ６０に接続されている医療用警報システム２を示している。
【００５８】
病室７０には、ベッドサイドモニタ１０ａ、１０ｂ、・・・、１０ｆと、位置情報測定装置２０と、情報表示装置３０が設置されており、位置情報測定装置２０は病室７０の入り口７２に設置され、情報表示装置３０は入り口７２の廊下７３側に設置されている。
【００５９】
ベッドサイドモニタ１０ａ、１０ｂ、・・・、１０ｆによって測定された患者５１ａ、５１ｂ、・・・、５１ｆの生体情報に異常が発生した場合には、その異常を報知するアラーム情報が、異常を検出したベッドサイドモニタから情報表示装置３０に無線送信されるとともに、ネットワーク５を介してセントラルモニタ６０にも送信される。また、異常発生を報知する異常発生信号が、異常を検出したベッドサイドモニタから位置情報測定装置２０に無線送信される。この実施形態では、以下、患者５１ｂの生体情報に異常が発生したものとして説明する。
【００６０】
位置情報測定装置２０は、異常発生を報知する異常発生信号をベッドサイドモニタ１０ｂから受信した際に、その受信した際の医療従事者位置情報を情報表示装置３０と少なくともベッドサイドモニタ１０ｂとに無線送信する。ベッドサイドモニタ１０ｂに送信された医療従事者位置情報は、ネットワーク５を介してセントラルモニタ６０に送信される。
【００６１】
情報表示装置３０には、ベッドサイドモニタ１０ｂから送信されたアラーム情報および位置情報測定装置２０から送信された医療従事者位置情報が表示される。
【００６２】
セントラルモニタ６０の表示部６２には、病室７０の患者５１ｂに異常が発生したこと、異常に対する処置の緊急度、および医療従事者が病室７０に居るか否かを示す情報が表示されている。
【００６３】
例えば、表示部６２には、病室７０の各患者の生体情報が患者毎に区分けして表示されており、アラームを発している患者５１ｂの生体情報が表示されている領域の外枠が、アラームの緊急度に応じた色の太線６３で強調して表示されている。この太線６３による強調表示で患者５１ｂのアラームの発生を示している。また、病室７０に医療従事者が駆けつけて来ていることが、太線６３で囲われる領域の中の顔マーク６８によって示されている。ナースステーション６９に居る医療従事者５６は、このセントラルモニタ６０の表示情報を見ることにより、どの病室でアラーム情報が送信されているか、生体情報の異常が生じた患者５１ｂに対する処置の緊急度とその場に医療従事者がいるか否か等を迅速かつ的確に判断することが可能になる。
【００６４】
図５に示すような大部屋の場合には、２人以上の患者からアラーム情報が送信される場合がある。図６は、病室７０において患者５１ｂと患者５１ｆから重複したタイミングでアラーム情報が送信された場合のセントラルモニタ６０の表示情報を示している。
【００６５】
表示部６２には、病室７０の患者５１ｂと５１ｆに異常が発生したこと、異常に対する処置の緊急度、および医療従事者が病室７０に居るか否かを示す情報が表示されている。例えば、表示部６２には、アラームを発している患者５１ｂの生体情報が表示されている領域の外枠が、アラームの緊急度に応じた色（この例では黄色）の太線６３で強調して表示されている。また、病室７０に医療従事者が駆けつけて来ていることが、太線６３で囲われる領域の中の顔マーク６８によって示されている。同様に、表示部６２には、アラームを発している患者５１ｆの生体情報が表示されている領域の外枠が、アラームの緊急度に応じた色（この例では赤色）の太線１６３で強調して表示されている。また、病室７０に医療従事者が駆けつけて来ていることが、太線１６３で囲われる領域の中の顔マーク１６８によって示されている。
【００６６】
２人の患者からアラーム情報が送信された場合、情報表示装置３０には、生体情報の異常が生じた患者５１ｂと５１ｆのうち処置の緊急度が重い方のアラーム情報が表示されるように設定されている。この例では、患者５１ｂの緊急度が中度で、患者５１ｆの緊急度が重度であるため、情報表示装置３０には患者５１ｆのアラーム情報が表示される。また、セントラルモニタ６０のアラーム灯２００は、患者５１ｆの緊急度に応じた色（この例では赤色）で点灯する。
【００６７】
医療従事者はこのセントラルモニタ６０の表示情報を見ることにより、複数人の患者（患者５１ｂと５１ｆ）からアラーム情報が送信されており、処置の優先度は患者５１ｆの方が高いこと、および患者５１ｆが入床している病室７０に医療従事者がいるか否かを迅速かつ的確に判断することが可能になる。
【００６８】
また、このような２人以上の患者からアラーム情報が送信される場合のセントラルモニタ６０の表示態様は、例えば、図６において、生体情報の異常が生じた患者５１ｆに対する処置が開始された場合に、医療従事者位置情報表示部３３の消灯状態はそのまま維持し、アラーム情報表示部３２のアラーム情報を生体情報の異常が生じた患者５１ｂの情報内容に変化させることが望ましい。これにより、２人以上の患者からアラーム情報が送信された場合でも、生体情報の異常が生じた患者に対する処置の漏れを確実に防止することができる。
【００６９】
なお、この実施形態における医療従事者５４の具体的な対応は第１の実施形態で説明した内容と同様である。
【００７０】
このような構成により、セントラルモニタ６０の表示情報あるいは病室の入り口に設置された情報表示装置３０の医療従事者位置情報を見ることにより、他の医療従事者が先に患者のところに到達しているか否かを認識できるので、複数人の医療従事者が同じ患者のところに駆けつけるという非効率的な対応を防止することができる。
【００７１】
なお、医療従事者が所持する携帯端末を情報表示装置３０として用いることもできる。ベッドサイドモニタからアラーム情報と医療従事者位置情報を無線送信して、これらの情報をサーバーを介して医療従事者が所持する携帯端末に送信するようにしてもよい。携帯端末の表示画面には、例えば、図６に示されるセントラルモニタ６０と同様の異常発生に関する情報が表示される。医療従事者は所持している携帯端末を見ることでその表示内容を容易かつ的確に認識することができ、生体情報の異常が生じた患者に対する処置の緊急度と医療従事者による処置の有無等を迅速かつ的確に判断することができる。
【００７２】
以上、本発明を詳細にまた特定の実施態様を参照して説明したが、本発明の精神と範囲を逸脱することなく様々な変更や修正を加えることができることは当業者にとって明らかである。
【符号の説明】
【００７３】
１、２：医療用警報システム、５：ネットワーク、１０、１０ａ、１０ｂ、・・・、１０ｆ：生体情報表示装置（ベッドサイドモニタ）、１１：生体信号測定部、１２、２２、３１、６１：通信部、１３、６２：表示部、２０：位置情報測定装置、２１：位置情報センサ、３０：情報表示装置（インジケータ）、３２：アラーム情報表示部、３３：医療従事者位置情報表示部、５４、５６：医療従事者、５５：識別タグ（無線ＩＣタグ）、６０：セントラルモニタ
【図１】
2014171776.tif 000003
【図２】
2014171776.tif 000004
【図３】
2014171776.tif 000005
【図４】
2014171776.tif 000006
【図５】
2014171776.tif 000007
【図６】
2014171776.tif 000008